【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を備える、方法。
【請求項２】
前記第１のタイプのＰＢＣＨは、ＭＴＣデバイスと通信するために割り振られたサブフレームで送信される、請求項１に記載の方法。
【請求項３】
前記第１のタイプのＰＢＣＨは、各無線フレーム中のサブフレーム０の１１個のシンボルでのみ送信される、請求項１に記載の方法。
【請求項４】
前記第１のタイプのＰＢＣＨは、サブフレーム０およびサブフレーム５で送信され、１次同期信号（ＰＳＳ）、２次同期信号（ＳＳＳ）、および前記第２のタイプのＰＢＣＨの周りでレートマッチングされる、請求項１に記載の方法。
【請求項５】
前記第１のタイプのＰＢＣＨは、１次同期信号（ＰＳＳ）、２次同期信号（ＳＳＳ）、および前記第２のタイプのＰＢＣＨによってパンクチャされる、請求項１に記載の方法。
【請求項６】
前記第１のタイプのＰＢＣＨは、中央の６リソースブロック（ＲＳ）とは異なる周波数ロケーションで送信される、請求項１に記載の方法。
【請求項７】
前記サブフレーム中の他のダウンリンク送信信号に比べてより高いＰＳＤで前記サブフレームで、１次同期信号（ＰＳＳ）、２次同期信号（ＳＳＳ）、またはシステム情報ブロック（ＳＩＢ）のうちの少なくとも１つを送信すること
をさらに備える、請求項１に記載の方法。
【請求項８】
拡張された物理ダウンリンク制御チャネル（ＥＰＤＣＣＨ）が、前記第１のタイプのＰＢＣＨに割り振られたリソースと衝突するかどうかを決定すること
をさらに備える、請求項１に記載の方法。
【請求項９】
ＥＰＤＣＣＨが前記第１のタイプのＰＢＣＨと衝突する場合、前記第１のタイプのＰＢＣＨの少なくとも一部のリソース要素（ＲＥ）はパンクチャされ、前記第１のタイプのＰＢＣＨはＥＰＤＣＣＨの周りでレートマッチングされ、またはＥＰＤＣＣＨは共通サーチスペース（ＣＳＳ）リソースロケーションの第１のセットおよびＵＥ固有サーチスペース（ＵＳＳ）リソースロケーションの第１のセットのうちの少なくとも１つを使用し、
ＥＰＤＣＣＨが前記第１のタイプのＰＢＣＨと衝突しない場合、ＥＰＤＣＣＨはＣＳＳリソースロケーションの第２のセットおよびＵＳＳリソースロケーションの第２のセットのうちの少なくとも１つを使用する、
請求項８に記載の方法。
【請求項１０】
ＣＳＳリソースロケーションの前記第１のセットは、ＣＳＳリソースロケーションの前記第２のセットのパンクチャされたバージョンを備える、請求項９に記載の方法。
【請求項１１】
前記第１のタイプのＰＢＣＨは、前記サブフレーム中の前記他のダウンリンク送信信号のためのＰＳＤに比べてより高いＰＳＤで、前記サブフレームにおいて送信される、請求項１に記載の方法。
【請求項１２】
前記第１のタイプのＰＢＣＨは、前記サブフレーム中の前記第２のタイプのＰＢＣＨの密度に比べて前記サブフレーム中においてより高い密度を有し、前記密度は、前記第１のタイプのＰＢＣＨまたは前記第２のタイプのＰＢＣＨに使用される前記サブフレーム中のリソースの量に対応する、請求項１に記載の方法。
【請求項１３】
前記第１のタイプのＰＢＣＨの前記より高い密度は、前記第２のタイプのＰＢＣＨのためのサブフレーム内の送信時間に比べて前記第１のタイプのＰＢＣＨのためのサブフレーム内のより長い送信時間のうちの少なくとも１つの結果である、請求項１２に記載の方法。
【請求項１４】
前記第１のタイプのＰＢＣＨは、狭帯域ＰＢＣＨを備え、前記狭帯域ＰＢＣＨのための帯域幅は、１リソースブロック（ＲＳ）である、請求項１に記載の方法。
【請求項１５】
前記第２のタイプのＰＢＣＨは、反復されたＰＢＣＨを備える、請求項１に記載の方法。
【請求項１６】
前記狭帯域ＰＢＣＨのための前記帯域幅は、連続した周波数ロケーションにある、請求項１４に記載の方法。
【請求項１７】
前記狭帯域ＰＢＣＨのための前記帯域幅は、周波数ホッピングされる、請求項１４に記載の方法。
【請求項１８】
前記第１のタイプのＰＢＣＨの長さは、第１のキャリアタイプと第２のキャリアタイプとでは異なる、請求項１に記載の方法。
【請求項１９】
前記第１のキャリアタイプでは、前記第１のタイプのＰＢＣＨはシンボル４〜１４で送信され、前記サブフレーム中のセル固有の基準信号（ＣＲＳ）の周りでレートマッチングされ、
前記第２のキャリアタイプでは、前記第１のタイプのＰＢＣＨはサブフレーム全体で送信され、５サブフレームごとにＣＲＳの周りでレートマッチングされる、
請求項１８に記載の方法。
【請求項２０】
前記第１のタイプのＰＢＣＨは、第１のキャリアタイプおよび第２のキャリアタイプに対して同じである、請求項１に記載の方法。
【請求項２１】
前記第１のタイプのＰＢＣＨは、前記サブフレーム全体で送信され、１次同期信号（ＰＳＳ）、２次同期信号（ＳＳＳ）、前記第２のタイプのＰＢＣＨ、セル固有の基準信号（ＣＲＳ）、チャネル状態情報基準信号（ＣＳＩ−ＲＳ）、または測位基準信号（ＰＲＳ）のうちの少なくとも１つによってパンクチャされる、請求項１に記載の方法。
【請求項２２】
前記第１のタイプのＰＢＣＨは、前記サブフレームのシンボル５〜１４で送信され、前記サブフレーム中のセル固有の基準信号（ＣＲＳ）の周りでレートマッチングされる、請求項１に記載の方法。
【請求項２３】
前記第１のタイプのＰＢＣＨは、前記サブフレームのシンボル４〜１４でのみ送信される、請求項１に記載の方法。
【請求項２４】
前記第２のタイプのＰＢＣＨおよび前記第１のタイプのＰＢＣＨは、同じペイロードコンテンツを有する、請求項１５に記載の方法。
【請求項２５】
前記第１のタイプのＰＢＣＨは、前記第２のタイプのＰＢＣＨ、１次同期信号（ＰＳＳ）、２次同期信号（ＳＳＳ）、または制御チャネルによって占有されない前記サブフレーム中の各シンボルで送信される、請求項１５に記載の方法。
【請求項２６】
前記第２のタイプのＰＢＣＨおよび前記第１のタイプのＰＢＣＨは、異なるペイロードコンテンツを有する、請求項１５に記載の方法。
【請求項２７】
前記第１のタイプのＰＢＣＨは、ロングタームエボリューション（ＬＴＥ）ワイヤレス規格のリリース１１またはそれ以降にしたがって動作し、
前記第２のタイプのＰＢＣＨは、ＬＴＥワイヤレス規格のリリース１０またはそれ以前にしたがって動作する、
請求項１に記載の方法。
【請求項２８】
前記第１のキャリアタイプは、ロングタームエボリューション（ＬＴＥ）ワイヤレス規格のリリース１１またはそれ以前にしたがって動作し、
前記第２のキャリアタイプは、ＬＴＥワイヤレス規格のリリース１２またはそれ以降にしたがって動作する、
請求項１８に記載の方法。
【請求項２９】
基地局（ＢＳ）によるワイヤレス通信のための装置であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信するための手段と、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信するための手段と、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信するための手段と
を備える、装置。
【請求項３０】
基地局（ＢＳ）によるワイヤレス通信のための装置であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を行うように構成された送信機
を備える、装置。
【請求項３１】
基地局（ＢＳ）によるワイヤレス通信のための命令を記憶する非一時的なコンピュータ可読媒体であって、前記命令は、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を行うために、１つまたは複数のプロセッサによって実行可能である、
非一時的なコンピュータ可読媒体。